【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
現像剤を収容する現像剤収容ユニットであって、
現像剤を収容し、前記現像剤を排出するための開口を備えた可撓性容器と、前記開口を封止する封止部とを有し、前記可撓性容器に取り付けられ、移動されることによって前記開口を露出することが可能な封止部材とを有する現像剤収容容器と、前記封止部材を移動させるための開封部材と、前記現像剤収容容器と、前記開封部材とを収容するための枠体を有し、
前記可撓性容器は、前記枠体に固定されるための被固定穴を有し、
前記枠体は、前記被固定穴に挿通して固定する固定軸部と、前記固定軸部から前記被固定穴が外れるのを防止する抜止部とを有する現像剤収容ユニットにおいて、
前記被固定穴は、該被固定穴の縁部の弾性変形により前記抜止部側から該抜止部を乗り越えて前記固定軸部に挿通して係止され、前記封止部材の開封時に所定方向に引っ張られ、
前記固定軸部の軸線と垂直な平面上に投影した際に、前記封止部材が開封されるときに前記被固定穴の縁部を係止する前記抜止部の係止稜線において、該係止稜線の前記被固定穴の縁部よりも外側の外端部が、前記被固定穴の縁部が係止される係止部よりも前記所定方向下流側に配置されるか、もしくは前記所定方向において一致した位置に配置されたことを特徴とする現像剤収容ユニット。
【請求項２】
現像剤を収容する現像剤収容ユニットであって、
現像剤を収容し、前記現像剤を排出するための開口を備えた可撓性容器と、前記開口を封止した状態で前記可撓性容器に取り付けられ、移動されることによって前記開口を露出することが可能な封止部材とを有する現像剤収容容器と、前記封止部材を移動させるための開封部材と、前記現像剤収容容器と、前記開封部材とを収容するための枠体を有し、
前記可撓性容器は、前記枠体に固定されるための被固定穴を有し、
前記枠体は、前記被固定穴に挿通して固定する固定軸部と、前記固定軸部から前記被固定穴が外れるのを防止する抜止部とを有する現像剤収容ユニットにおいて、
前記被固定穴は、該被固定穴の縁部の弾性変形により前記抜止部側から該抜止部を乗り越えて前記固定軸部に挿通して係止され、
前記封止部材が開封されるときに前記被固定穴の縁部を係止する前記抜止部の係止稜線において、該係止稜線の前記被固定穴の縁部よりも外側の外端部が、前記被固定穴の縁部が係止される係止部よりも前記固定軸部の軸線方向において前記被固定穴側に突出すること特徴とする現像剤収容ユニット。
【請求項３】
前記係止稜線の前記被固定穴の縁部よりも外側の外端部が、前記被固定穴の縁部が係止される係止部よりも前記固定軸部の軸線方向において前記被固定穴側に突出すること特徴とする請求項１に記載の現像剤収容ユニット。
【請求項４】
前記抜止部は、前記固定軸部の軸線と垂直な平面上に投影した際に、前記封止部材が開封されるときに前記被固定穴の縁部を係止する前記抜止部の係止稜線において、該係止稜線の前記被固定穴の縁部よりも外側の外端部と、前記被固定穴の縁部が係止される係止部とが前記封止部の前記所定方向において一致した位置に配置され、
前記固定軸部の外周面と前記抜止部の係止稜線とが接するか、或いは、前記固定軸部の外周面が前記抜止部の係止稜線から突出したことを特徴とする請求項１または請求項３に記載の現像剤収容ユニット。
【請求項５】
前記固定軸部の外周面は、前記所定方向において前記抜止部に対して上流側に突出していることを特徴とする請求項１、３、４のいずれか１項に記載の現像剤収容ユニット。
【請求項６】
現像剤を収容するための現像剤収容ユニットであって、
現像剤の排出を可能にするための開口を備え、現像剤を収容するための可撓性容器と、
枠体と、
を有し、
前記可撓性容器は、該可撓性容器を前記枠体に取り付けるための固定穴を備えており、
前記枠体は、
前記固定穴に挿入されることによって該固定穴に固定される固定軸部と、
前記固定軸部が前記固定穴から外れることを防止するための抜止部と、
を有し、
前記固定軸部が前記固定穴に挿入されるとき、該固定穴が自身の弾性変形にもとづく拡張により前記抜止部を乗り越えることを特徴とする現像剤収容ユニット。
【請求項７】
前記開口を封止するための封止部材を有し、
前記封止部材は、前記可撓性容器に取り付けられ、移動させられることによって前記開口を露出させることができることを特徴とする請求項６に記載の現像剤収容ユニット。
【請求項８】
前記抜止部を前記固定軸部の軸線に垂直な平面上に投影したとき、前記封止部材が開封される際に前記固定穴の縁部を係止するための前記抜止部の係止稜線において、該係止稜線の前記固定穴の前記縁部よりも外側の外端部が、前記固定穴の前記縁部が係止される係止部の所定の方向に関して下流側に設けられ、或いは、前記外端部が前記所定の方向に対して垂直な方向において前記係止部に整列する位置に設けられていることを特徴とする請求項７に記載の現像剤収容ユニット。
【請求項９】
前記封止部材が開封されるとき、前記固定穴の前記縁部を係止する前記抜止部の係止稜線において、該係止稜線の前記固定穴の前記縁部よりも外側の外端部が、前記固定穴の前記縁部が係止される係止部よりも前記固定軸部の軸線方向に関して前記固定穴の方へと突き出すことを特徴とする請求項８に記載の現像剤収容ユニット。
【請求項１０】
前記封止部材を移動させるための開封部材をさらに備えることを特徴とする請求項７〜９のいずれか１項に記載の現像剤収容ユニット。
【請求項１１】
前記枠体が、前記開封部材を収容することを特徴とする請求項１０に記載の現像剤収容ユニット。
【請求項１２】
請求項１〜１１のいずれか１項に記載の現像剤収容ユニットと、
前記現像剤収容ユニット内の現像剤を、静電潜像が形成される像担持体の表面に供給する現像剤担持体と、
を有することを特徴とする現像装置。
【請求項１３】
画像形成装置本体に着脱可能なプロセスカートリッジにおいて、
請求項１〜１１のいずれか１項に記載の現像剤収容ユニット、請求項１２に記載の現像装置のうちの少なくとも１つと、
静電潜像が形成される像担持体と、
を有することを特徴とするプロセスカートリッジ。
【請求項１４】
請求項１〜１１のいずれか１項に記載の現像剤収容ユニット、または前記請求項１２に記載の現像装置、または前記請求項１３に記載のプロセスカートリッジのうちの少なくとも１つが着脱可能に構成され、シートに画像を形成することを特徴とする画像形成装置。
【手続補正２】
【補正対象書類名】明細書
【補正対象項目名】発明の名称
【補正方法】変更
【補正の内容】
【発明の名称】現像剤収容ユニット、現像装置、プロセスカートリッジ及び画像形成装置
【手続補正３】
【補正対象書類名】明細書
【補正対象項目名】０００１
【補正方法】変更
【補正の内容】
【０００１】
本発明は、画像形成装置に使用される現像剤収容ユニット、現像装置、プロセスカートリッジに関するものである。
【手続補正４】
【補正対象書類名】明細書
【補正対象項目名】００１４
【補正方法】変更
【補正の内容】
【００１４】
図により本発明に係る現像剤収容ユニット、現像装置、プロセスカートリッジ及び画像形成装置の一実施形態を具体的に説明する。
【手続補正５】
【補正対象書類名】明細書
【補正対象項目名】００１５
【補正方法】変更
【補正の内容】
【００１５】
先ず、図１〜図10を用いて本発明に係る現像剤収容ユニット、現像装置、プロセスカートリッジ及び画像形成装置の第１実施形態の構成について説明する。
【手続補正６】
【補正対象書類名】明細書
【補正対象項目名】００１６
【補正方法】変更
【補正の内容】
【００１６】
図３に示すように、現像剤収容容器30は、少なくとも現像剤（トナー、キャリア等を含む）を収容し、該現像剤を排出するための開口部35ａ（開口）を備えた可撓性容器となる現像剤袋16を有する。更に、該現像剤袋16に設けられた現像剤を排出するための開口部35ａを封止する封止部19ａを有する。更に、該現像剤袋16に取り付けられ、移動されることによって開口部35ａを露出することが可能な封止部材19を備える。
【手続補正７】
【補正対象書類名】明細書
【補正対象項目名】００５０
【補正方法】変更
【補正の内容】
【００５０】
図４に示すように、現像剤袋16は、第二枠体18の内面に立設された固定軸部18ａに係止して固定される被固定穴16ｄを有する。被固定穴16ｄは、該被固定穴16ｄの縁部の（自身の）弾性変形（拡張）により、固定軸部18ａの先端部に設けられた抜止部18ｅ側から該抜止部18ｅを乗り越えて該固定軸部18ａに挿通して係止される。
【手続補正８】
【補正対象書類名】明細書
【補正対象項目名】００８５
【補正方法】変更
【補正の内容】
【００８５】
次に図11（ａ）を用いて本発明に係る現像剤収容ユニット、現像装置、プロセスカートリッジ及び画像形成装置の第２実施形態の構成について説明する。尚、前記第１実施形態と同様に構成したものは、同一の符号を付して説明を省略する。
【手続補正９】
【補正対象書類名】明細書
【補正対象項目名】００９２
【補正方法】変更
【補正の内容】
【００９２】
次に図11（ｂ）を用いて本発明に係る現像剤収容ユニット、現像装置、プロセスカートリッジ及び画像形成装置の第３実施形態の構成について説明する。尚、前記各実施形態と同様に構成したものは、同一の符号を付して説明を省略する。
【手続補正１０】
【補正対象書類名】明細書
【補正対象項目名】００９６
【補正方法】変更
【補正の内容】
【００９６】
次に図12を用いて本発明に係る現像剤収容ユニット、現像装置、プロセスカートリッジ及び画像形成装置の第４実施形態の構成について説明する。尚、前記各実施形態と同様に構成したものは、一部は同一の符号を付すと共に、各実施形態毎に符号が異なるものの同一の部材名を付与して重複する説明を省略する。
【手続補正１１】
【補正対象書類名】明細書
【補正対象項目名】０１０５
【補正方法】変更
【補正の内容】
【０１０５】
次に図13（ａ）〜（ｃ）を用いて本発明に係る現像剤収容ユニット、現像装置、プロセスカートリッジ及び画像形成装置の第５実施形態の構成について説明する。尚、前記各実施形態と同様に構成したものは、同一の符号を付して説明を省略する。
【手続補正１２】
【補正対象書類名】明細書
【補正対象項目名】０１１０
【補正方法】変更
【補正の内容】
【０１１０】
次に図13（ｄ），（ｅ）を用いて本発明に係る現像剤収容ユニット、現像装置、プロセスカートリッジ及び画像形成装置の第６実施形態の構成について説明する。尚、前記各実施形態と同様に構成したものは、同一の符号を付して説明を省略する。
【手続補正１３】
【補正対象書類名】明細書
【補正対象項目名】０１１５
【補正方法】変更
【補正の内容】
【０１１５】
次に図14〜図16を用いて本発明に係る現像剤収容ユニット、現像装置、プロセスカートリッジ及び画像形成装置の第７実施形態の構成について説明する。尚、前記各実施形態と同様に構成したものは、一部は同一の符号を付すと共に、各実施形態毎に符号が異なるものの同一の部材名を付与して重複する説明を省略する。
【手続補正１４】
【補正対象書類名】明細書
【補正対象項目名】０１２８
【補正方法】変更
【補正の内容】
【０１２８】
次に図17を用いて本発明に係る現像剤収容ユニット、現像装置、プロセスカートリッジ及び画像形成装置の第８実施形態の構成について説明する。尚、前記各実施形態と同様に構成したものは、一部は同一の符号を付すと共に、各実施形態毎に符号が異なるものの同一の部材名を付与して重複する説明を省略する。
【手続補正１５】
【補正対象書類名】明細書
【補正対象項目名】０１３７
【補正方法】変更
【補正の内容】
【０１３７】
次に図18〜図20を用いて本発明に係る現像剤収容ユニット、現像装置、プロセスカートリッジ及び画像形成装置の第９実施形態の構成について説明する。尚、前記各実施形態と同様に構成したものは、一部は同一の符号を付すと共に、各実施形態毎に符号が異なるものの同一の部材名を付与して重複する説明を省略する。
【手続補正１６】
【補正対象書類名】明細書
【補正対象項目名】０１５２
【補正方法】変更
【補正の内容】
【０１５２】
図19に示すように、固定軸部518ａの軸線518ｄと垂直な平面上に投影する。その際に、係止稜線318ｆの形状を被固定穴516ｄの縁部が係止される係止部518ｈと、係止稜線518ｆの被固定穴516ｄの縁部よりも外側の外端部518ｉとが同一直線上に配置（整列）される。図20に示す固定軸部518ａの軸線518ｄ方向において被固定穴516ｄの縁部が係止される係止部518ｈから係止稜線518ｆの被固定穴516ｄの縁部よりも外側の外端部518ｉ方向に移動する力を生じない。これにより、安定して現像剤袋16の開口部35ａの開封を実現出来る。
【手続補正１７】
【補正対象書類名】明細書
【補正対象項目名】０１５５
【補正方法】変更
【補正の内容】
【０１５５】
次に図21を用いて本発明に係る現像剤収容ユニット、現像装置、プロセスカートリッジ及び画像形成装置の第１０実施形態の構成について説明する。尚、前記各実施形態と同様に構成したものは、同一の符号を付して説明を省略する。
【手続補正１８】
【補正対象書類名】明細書
【補正対象項目名】０１６０
【補正方法】変更
【補正の内容】
【０１６０】
次に図22を用いて本発明に係る現像剤収容ユニット、現像装置、プロセスカートリッジ及び画像形成装置の第１１実施形態の構成について説明する。尚、前記各実施形態と同様に構成したものは、同一の符号を付して説明を省略する。